【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  高知能製造設備により製造されるべき部品の曲げモデルを展開するためのシステムにして、前記システムは以下を含む；
前記部品に関連する初期部品情報を受信する受信システムにして、前記初期部品情報は、２次元座標空間における前記部品の複数の図の各表現を備え、前記複数の表現の各々は前記部品の厚さの表現を含み、前記初期部品情報は非本質的情報を含むもの；
前記初期部品情報に対して２次元クリーンアップ操作を行い、前記非本質的情報を除去し、前記各表現を同定するクリーンアップ操作システム；
前記２次元空間における厚さを有しない前記部品の前記同定表現に基づいて３次元空間における前記部品の表現を作成するシステム。
【請求項２】  請求項１によるシステムにして、前記初期部品情報は、少なくとも前記部品の線分エンティティーを表現する部品エンティティーデータを備え、前記クリーンアップ操作システムは、前記エンティティーの交差点を検出し且つ前記検出された交差点において前記エンティティーを選択的に分断する分断トリミングシステムを備え、前記分断トリミングシステムは、前記分断エンティティーが前記検出された交差点に基づいて共通の最終点を有するように割り当てる。
【請求項３】  請求項１によるシステムにして、それはさらに、前記同定された各表現において部品厚さの表現を選択的に除去し、２次元座標空間における厚さを有しない、前記部品についての前記各図の修正表現を提供する部品厚さ除去システムを備え、前記作成システムは、前記部品の同定された各々に基づいて３次元空間における前記部品の表現を作成するようになっている。
【請求項４】  請求項１によるシステムにして、３次元空間における前記部品の前記表現に対して３次元クリーンアップ操作を行ない、前記部品の前記表現における余分の情報を更にクリーンアップし消去するためのシステムを更に含む。
【請求項５】  複数の面と少なくとも一つの曲げ線とを含む部品の曲げモデルを生成するためのプログラムを記憶した記憶媒体（メモリ）にして、
前記プログラムはコンピュータを、
前記部品に関連する初期部品情報を受信する受信システムにして、前記初期部品情報は、２次元座標空間における前記部品の複数の図の各表現を備え、前記複数の表現の各々は前記部品の厚さの表現を含み、前記初期部品情報は非本質的情報を含むもの；及び
前記初期部品情報に対して２次元クリーンアップ操作を行い、前記非本質的情報を除去し、前記各表現を同定するクリーンアップ操作システム；及び
前記２次元空間における厚さを有しない前記部品の前記同定表現に基づいて３次元空間における前記部品の表現を作成するシステム；
として機能させることを特徴とするプログラムを記憶した記憶媒体（メモリ）。
【請求項６】  高知能製造設備により製造されるべき部品の曲げモデルを展開するためのシステムにして、前記システムは以下を含む；
前記部品に関連する初期部品情報を受信する受信システムにして、前記初期部品情報は、２次元座標空間における前記部品の複数の図の各表現を備え、前記複数の表現の各々は前記部品の厚さの表現を含む；
前記同定された各表現において部品厚さの表現を選択的に除去し、２次元座標空間における厚さを有しない、前記部品についての前記各図の表現を提供する部品厚さ除去システム；
前記２次元空間における厚さを有しない、前記部品の前記修正表現に基づいて３次元空間における前記部品の表現を作成するシステム。
【請求項７】  請求項６のシステムにして、前記初期部品情報は非本質情報を含み、前記システムは、前記初期部品情報に対して２次元クリーンアップ操作を行い、前記非本質的情報を除去し、前記各表現を同定するクリーンアップ操作システムを有する。
【請求項８】  請求項７によるシステムにして、前記初期部品情報は、少なくとも前記部品の線分エンティティーを表現する部品エンティティーデータを備え、前記クリーンアップ操作システムは、前記エンティティーの交差点を検出し且つ前記検出された交差点において前記エンティティーを選択的に分断する分断トリミングシステムを備え、前記分断トリミングシステムは、前記分断エンティティーが前記検出された交差点に基づいて共通の最終点を有するように割り当てる。
【請求項９】  請求項６によるシステムにして、前記作成システムは、前記２次元空間における前記部品の前記変形された表現に基づいて前記３次元空間における前記部品の前記表現を作成するために射影操作を行なうシステムを有する。
【請求項１０】  請求項６によるシステムにして、３次元空間における前記部品の前記表現に対して３次元クリーンアップ操作を行ない、前記部品の前記表現における余分の情報を更にクリーンアップし消去するためのシステムを更に含む。
【請求項１１】  高知能製造設備において製造されるべき部品の曲げモデルを展開するためのシステムにして、前記部品は複数の面と少なくとも一つの曲げ線とを含み、前記システムは以下を含む；
前記部品に関連する初期部品情報を受信する受信システムにして、前記初期部品情報は、第１座標空間における前記部品の表現に関連するデータを含むもの；
前記第１座標空間内で前記初期部品情報に基づいて、前記部品の面を検出するための面検出システム；
前記面検出システムにより検出された前記面に基づいて、前記部品の少なくとも一つ曲げ線を同定するための曲げ線同定システム；
前記面検出システムにより検出された前記面の各々に対して所定操作を加えることにより、前記部品に関連し且つ第２座標空間内での前記部品の表現に関連するデータを含む追加部品情報を生成するためのシステムにして、前記所定操作は、少なくとも前記初期部品情報と前記曲げ線同定システムにより同定された少なくとも一つの曲げ線とに基づいて行われるものと；
前記部品に関連する縮小量を受け取るシステムと；
前記複数の面に対して前記所定の操作を行なう際に、前記縮小量に基づいて曲げ縮小に対して補正を行なうシステムと；
を備えてなる高知能製造設備において製造されるべき部品の曲げモデルを展開するためのシステム。
【請求項１２】  請求項１１によるシステムにして、前記所定の操作は、前記面検出システムにより検出された前記複数の面に対してなされる折り曲げ操作からなり、前記曲げ縮小に対する補正用システムは、前記折り曲げ操作を行なう際に、前記部品の前記曲げ線の各サイドにおいて、前記縮小量の半分だけ前記各面の寸法長さを増大する。
【請求項１３】  請求項１１によるシステムにして、前記所定の操作は、前記面検出システムにより検出された前記複数の面に対してなされる展開操作からなり、前記曲げ縮小量に対する補正用システムは、前記展開操作を行なう際に、前記部品の前記曲げ線の両サイドにおいて前記縮小量の半分だけ前記各面の寸法長さを縮小する。
【請求項１４】  複数の面と少なくとも一つの曲げ線とを含む部品の曲げモデルを生成するためのプログラムを記憶した記憶媒体（メモリ）にして、
前記プログラムはコンピュータに、
前記部品に関連する初期部品情報を受信する工程にして、前記初期部品情報は第１座標空間における前記部品の表現に関連するデータを含む工程；及び
前記第１座標空間内で前記初期部品情報に基づいて前記部品の前記複数の面を検出する工程；及び
前記検出により検出された前記複数の面に基づいて前記部品の少なくとも１つの曲げ線を同定する工程；
前記検出により検出された前記複数の面の各々に対して所定の操作を行なうことにより第２座標空間内での前記部品の表現に関連するデータを含む追加の部品情報を生成する工程にして、前記操作は、前記初期部品情報及び前記同定により同定された少なくとも１つの曲げ線とに基づいてなされる工程；
前記部品に関連する縮小量を受信し、この縮小量に基づいて、前記複数の面に所定の操作を行なう時、曲げ縮小について補正を行なう工程；
を実行させることを特徴とするプログラムを記憶した記憶媒体（メモリ）。
【請求項１５】  請求項１４による記憶媒体にして、前記複数の面に対して折り曲げ操作を行なう工程を更に含み、前記曲げ縮小についての補正操作は、前記折り曲げ操作は行なわれる時前記部品の曲げ線の各サイドにおいて前記縮小量の半分だけ前記面の寸法長さを増大する操作を含む記憶媒体。
【請求項１６】  請求項１４による記憶媒体にして、更に、前記複数の面に対して展開操作を行なうことを含み、前記縮小量についての補正は、前記展開操作を行なう時、前記部品の前記曲げ線の各サイドにおいて前記縮小量の半分だけ前記各面の寸法長さを縮小する操作を含む記憶媒体。
【請求項１７】  製造設備において製造されるべき部品の曲げモデルを作成するためのシステムにして、前記部品は複数の面と少なくとも一つの曲げ線とを有し；
前記部品に関連する初期部品情報を受取る手段にして、前記初期部品情報は、第１の所定座標空間内における前記部品の表現に関連するデータを含むもの；及び
前記第１の所定座標空間内で前記初期部品情報に基づいて前記部品の面を検出するための手段；
前記面検出手段により検出された前記面に基づいて前記部品の少なくとも一つの曲げ線を同定するための手段；
前記検出手段により検出された前記面に対して所定の操作を行うことにより、第２の所定座標空間内における前記部品の表現に関連するデータを含む追加の部品情報を生成するための手段にして、前記所定の操作は、少なくとも一部は、前記曲げ線検出手段により同定された曲げ線に基づいて行われる手段；
前記部品に関連する縮小量を受け取る手段と前記面に対する所定の操作を行なう際に、前記縮小量に基づいて曲げ縮小のための補正を行なう手段；
を含むシステム。